(57)【要約】【課題】ランプユニット内に導入された空気を、ランプユニットの冷却すべき部分に集中させることが出来る冷却風調整機構を具え、該冷却調整機構を異なる機種にも利用可能なプロジェクタ装置を提供する。【解決手段】本願発明のプロジェクタ装置において、ランプユニット４の空気導入孔から伸びる冷却風調整機構６を、角度調整部材60と、該角度調整部材60に取り付けられた長さ調整部材61とから構成し、長さ調整部材61が、角度調整部材60と互いに重ねられ、前記角度調整部材60の端部から所定長さだけ突出している。【選択図】図１１
2007298891.tif 000002
【特許請求の範囲】
【請求項１】
ランプユニット(４)と、該ランプユニット(４)を冷却する冷却ファン装置(８)と、前記ランプユニット(４)を光源として映像光を生成し、生成した映像光をスクリーンに向けて投射する光学系とを具え、前記ランプユニット(４)は、発光管(42)と、該発光管(42)を包囲し、発光管(42)から出射された光を前記光学系へ向けて反射するリフレクタ(41)とを具え、前記ランプユニット(４)には、前記冷却ファン装置(８)から吐出された空気をリフレクタ(41)内へ導入する空気導入孔(48)が開設されているプロジェクタ装置において、
前記ランプユニット(４)の空気導入孔(48)には、リフレクタ(41)内に導入される冷却風の流れを調整する冷却風調整機構(６)が配備され、該冷却風調整機構(６)は、ランプユニット(４)の発光管(42)へ向けて所定の角度をもって突出する角度調整部材(60)と、該角度調整部材(60)に連結されて、ランプユニット(４)の発光管(42)へ向けて所定の長さをもって突出する長さ調整部材(61)とを具えていることを特徴とするプロジェクタ装置。
【請求項２】
前記角度調整部材(60)と長さ調整部材(61)は共に板金製であって、溶接によって互いに連結されている請求項１に記載のプロジェクタ装置。
【請求項３】
前記角度調整部材(60)及び長さ調整部材(61)にはそれぞれ、互いの相対位置を規定するための係合部及び係合受け部が形成されている請求項１又は請求項２に記載のプロジェクタ装置。
【請求項４】
前記長さ調整部材(61)には、ランプユニット(４)の空気導入孔(48)からリフレクタ(41)の中央部へ向けて突出する平板部(64)と、該平板部(64)の両側に略垂直に突設された一対の側壁部(65)(65)とが形成されている請求項１乃至請求項３の何れかに記載のプロジェクタ装置。
【請求項５】
前記ランプユニット(４)を収容するホルダー(５)を具え、該ホルダー(５)には、ランプユニット(４)の空気導入孔(48)に連通する空気導入孔(56)が開設されており、前記角度調整部材(60)は、冷却風調整機構(６)を該ホルダー(５)に取り付けるための板金製の取り付け部材(９)と一体に形成されており、該取り付け部材(９)には、ホルダー(５)の端部に係脱可能に係合する折り曲げ部が形成されている請求項１乃至請求項４の何れかに記載のプロジェクタ装置。
【発明の詳細な説明】
【技術分野】
【０００１】
本発明は、光源からの光を光学系に導いて映像を生成し、前方のスクリーンへ拡大投射するプロジェクタ装置に関するものである。
【背景技術】
【０００２】
プロジェクタ装置は、ケーシングの内部に、映像を生成するための光学ユニットと、該光学ユニットの光源となるランプユニットとを具えている。図２５に示す如く、ランプユニットは、発光管(42)と、該発光管(42)から発せられる光を前記光学ユニットへ向けて反射するリフレクタ(41)とを具えている。
【０００３】
ランプユニットの発光時には、発光管(42)が発熱し、発光管(42)の温度が限界温度を超えると、発光管(42)の寿命が短くなるため、冷却ファン装置(８)により発光管(42)を冷却している。リフレクタ(41)には、前記冷却ファン装置(８)から吐出された空気をリフレクタ(41)内へ導入する空気導入孔(48)が開設されている(特許文献１参照)。
【特許文献１】特開２００３−１２３５２９号公報  [F21V 29/02]
【発明の開示】
【発明が解決しようとする課題】
【０００４】
発熱管を効率良く冷却するためには、リフレクタ(41)内へ導入された空気(冷却風)を、発熱管(42)のうち最も発熱する部分に集中させることが望まれる。しかしながら、図２５に示す従来のランプユニットでは、空気導入孔(48)から導入された冷却風は、リフレクタ(41)内に分散していた。そこで、図２６に示す様に、空気導入孔(48)からリフレクタ(41)の内側に向けて伸びる冷却風調整機構(69)を設け、冷却風を冷却風調整機構(69)に沿わせて冷却風の方向を調整し、冷却風を発光管(42)の球状部(43)の位置に集中させる方法が考えられる。
【０００５】
しかしながら、この方法では、空気導入孔(48)に対する発光管(42)の球状部(43)の位置が変わると、冷却風調整機構(69)がリフレクタ(41)内に伸びる方向を変更する必要があり、更に、冷却ファン装置(８)からの冷却風の風速が大きくなると、冷却風の一部がリフレクタ(41)内に分散することがあった。従って、空気導入孔(48)に対する発光管(42)の球状部(43)の位置や、冷却風の風速が異なる機種のプロジェクタ装置を製造するためには、機種毎に異なる冷却風調整機構(69)を準備しなければならない問題があった。
そこで、本発明の目的は、ランプユニット内に導入された空気を、ランプユニットの冷却すべき部分に集中させることが出来る冷却風調整機構を具え、機種毎に専用の冷却風調整機構を準備する必要がないプロジェクタ装置を提供することである。
【課題を解決するための手段】
【０００６】
本発明に係るプロジェクタ装置は、ランプユニット(４)と、該ランプユニット(４)を冷却する冷却ファン装置(８)と、前記ランプユニット(４)を光源として映像光を生成し、生成した映像光をスクリーンに向けて投射する光学系とを具えている。
【０００７】
前記ランプユニット(４)は、発光管(42)と、該発光管(42)を包囲し、発光管(42)から出射された光を前記光学系へ向けて反射するリフレクタ(41)とを具えており、前記ランプユニット(４)には、前記冷却ファン装置(８)から吐出された空気をリフレクタ(41)内へ導入する空気導入孔(48)が開設されている。
【０００８】
前記ランプユニット(４)の空気導入孔(48)には、リフレクタ(41)内に導入される冷却風の流れを調整する冷却風調整機構(６)が配備されている。該冷却風調整機構(６)は、ランプユニット(４)の発光管(42)へ向けて所定の角度をもって突出する角度調整部材(60)と、該角度調整部材(60)に連結されて、ランプユニット(４)の発光管(42)へ向けて所定の長さをもって突出する長さ調整部材(61)とを具えている。
【０００９】
上記本発明に係るプロジェクタ装置において、ランプユニット(４)の空気導入孔(48)から冷却風調整機構(６)が伸びる傾斜角度及び長さは、それぞれ、角度調整部材(60)と長さ調整部材(61)によって決まる。この様な冷却風調整機構(６)では、角度調整部材(60)と長さ調整部材(61)とを組み合わせて、冷却ファン装置(８)から吐出された空気を、ランプユニット(４)の所定位置に集中させることが出来る。従って、異なる機種のプロジェクタを製造する場合にも、仕様の異なる角度調整部材(60)と長さ調整部材(61)の組み合わせを変えるだけでよく、機種毎に専用の冷却風調整機構を準備する必要がない。
【００１０】
具体的構成において、前記角度調整部材(60)と長さ調整部材(61)は共に板金製であって、溶接によって互いに連結されている。更に具体的構成において、前記角度調整部材(60)及び長さ調整部材(61)にはそれぞれ、互いの相対位置を規定するための係合部及び係合受け部が形成されている。
【００１１】
該具体的構成では、長さ調整部材(61)を、角度調整部材(60)の端部から所定長さだけ延出させることが容易である。
【００１２】
更に具体的構成において、前記長さ調整部材(61)には、ランプユニット(４)の空気導入孔(48)からリフレクタ(41)の中央部へ向けて突出する平板部(64)と、該平板部(64)の両側に略垂直に突設された一対の側壁部(65)(65)とが形成されている。
【００１３】
該具体的構成では、冷却ファン装置(８)からリフレクタ内に導入された空気を、更に効率良くランプユニット(４)の所望の位置に集中させることが出来る。
【００１４】
更に具体的構成において、前記ランプユニット(４)を収容するホルダー(５)を具え、該ホルダー(５)には、ランプユニット(４)の空気導入孔(48)に連通する空気導入孔(56)が開設されている。前記角度調整部材(60)は、冷却風調整機構(６)を該ホルダー(５)に取り付けるための板金製の取り付け部材(９)と一体に形成されており、該取り付け部材(９)には、ホルダー(５)の端部に係脱可能に係合する折り曲げ部が形成されている。
【００１５】
該具体的構成では、ビス等の他の部品を用いることなく、冷却風調整機構(６)を内側ホルダー(５)に取り付けることが出来る。
【発明の効果】
【００１６】
本発明に係るプロジェクタ装置によれば、ランプユニット内に導入された空気を、ランプユニットの冷却すべき部分に集中させることが出来る冷却風調整機構を具え、機種毎に専用の冷却風調整機構を準備する必要がない。
【発明を実施するための最良の形態】
【００１７】
以下、本発明を液晶プロジェクタ装置に実施した形態につき、図面に沿って具体的に説明する。該液晶プロジェクタは、図１に示す如く下半ケース(11)及び上半ケース(12)からなる扁平なケーシング(１)を具え、該ケーシング(１)の前面パネル(13)には、投射窓(14)が開設されると共に、図２に示す如く、後面パネル(17)には、内蔵のランプユニットから排出される温風の排気孔(15)が開設されている。ケーシング(１)の内部には、図３に示す如く、映像光を生成するための光学ユニット(２)と、光学ユニット(２)の光源となるランプユニット(４)とを具えている。尚、ランプユニット(４)は、外側ホルダー(７)内に収容されている。
【００１８】
光学ユニット
図４に示す如く、光学ユニット(２)において、ランプユニット(４)から第１フィールドミラー(21)に入射した白色光は、第１フィールドミラー(21)により反射されて第１ダイクロイックミラー(22)に入射する。第１ダイクロイックミラー(22)では、赤色光と緑色光が反射され、青色光のみが第１ダイクロイックミラーミラー(22)を通過する。第１ダイクロイックミラー(22)を通過した青色光は、第２フィールドミラー(23)に入射し、第２フィールドミラー(23)により反射されて色合成装置(３)へ入射する。
【００１９】
又、第１ダイクロイックミラー(22)により反射された赤色光と緑色光は、第２ダイクロイックミラー(27)へ入射する。第２ダイクロイックミラー(27)では緑色光が反射され、第２ダイクロイックミラー(27)により反射された緑色光は、色合成装置(３)へ入射する。
【００２０】
又、第２ダイクロイックミラー(27)に入射した赤色光は、第２ダイクロイックミラー(27)を通過し、第３フィールドミラー(26)及び第４フィールドミラー(25)に反射されて色合成装置(３)へ入射する。
【００２１】
色合成装置
色合成装置(３)は、色合成プリズム(30)、赤色映像生成ユニット(31)、緑色映像生成ユニット(33)及び青色映像生成ユニット(32)を具え、赤色映像生成ユニット(31)、緑色映像生成ユニット(33)及び青色映像生成ユニット(32)はそれぞれ、色合成プリズム(30)側から順次、出射側偏光板、液晶パネル及び入射側偏光板を配設して構成されている。
【００２２】
光学ユニット(２)から色合成装置(３)に入射した赤色光、緑色光及び青色光はそれぞれ、赤色映像生成ユニット(31)、緑色映像生成ユニット(33)及び青色映像生成ユニット(32)を透過して色合成プリズム(30)に入射する。
【００２３】
色合成プリズム(30)に導かれた３色の映像光は、色合成プリズム(30)により合成され、これによって得られる映像光が、投射レンズ(20)を経て前方のスクリーンへ拡大投射される。
【００２４】
ランプユニット
ランプユニット(４)は、図５及び図６に示す様に、発光管(42)と、該発光管(42)を包囲する放物曲面状のリフレクタ(41)とを有している。ランプユニット(４)としては、例えば、メタルハライドランプや超高圧水銀ランプ等の放電発光型のランプを用いることが出来る。
【００２５】
発光管(42)は、球状部(43)と、該球状部(43)から突出した筒状部(47)とを具え、球状部(43)がリフレクタ(41)の底部に配置され、筒状部(47)がリフレクタ(41)の底部から開口に向けて垂直に伸びている。発光管(42)は、球状部(43)にて発光し、該球状部(43)は発光に伴って発熱することとなる。
【００２６】
リフレクタ(41)は、開口から底部に向けて切り欠かれた凹部(45)を４箇所に有しており、４箇所の凹部(45)〜(45)は、リフレクタ(41)の開口周囲に等間隔で配置されている。又、リフレクタ(41)の開口はガラス板製の透光プレート(44)により覆われており、透光プレート(44)とリフレクタ(41)との間には、４箇所の凹部(45)〜(45)のうち、互いに向かい合う位置に設けられた２箇所の凹部(45)(45)によって、ランプユニット(４)の空気導入孔(48)と、ランプユニット(４)の空気排出孔(49)が構成されている。
この様なランプユニット(４)においては、発光管(42)からの光がリフレクタ(41)の内壁により反射され、透光プレート(44)を透過して外部に出射される。
【００２７】
ランプユニット(４)は、図７に示す内側ホルダー(５)に保持されており、該内側ホルダー(５)は、図３に示す外側ホルダー(７)内に収容されている。
内側ホルダー(５)は、外形が矩形状に形成された前方壁(50)と、該前方壁(50)の周縁の３辺にそれぞれ略直交する第１側壁(51)、第２側壁(52)及び第３側壁(53)とから構成されている。内側ホルダー(５)の前方壁(50)は、ランプユニット(４)の透光プレート(44)の前方に配置されており、図８に示す様に、該前方壁(50)には、ランプユニット(４)の透光プレート(44)を露出させる光出射孔(54)が開設されている。
【００２８】
図５及び図６に示す様に、内側ホルダー(５)の第１側壁(51)、第２側壁(52)及び第３側壁(53)は、ランプユニット(４)のリフレクタ(41)の側部を囲んでいる。このうち、互いに対向する第１側壁(51)と第２側壁(52)には、図６及び図７に示す様に、それぞれ、前方壁(50)から後方に向けて切り欠かれた切り欠き部(59)が形成されている。更に、図８に示す様に、前方壁(50)の出射孔の外側には、第１側壁(51)に形成されて切り欠き部(59)に連結された切り欠き部(58)と、第２側壁(52)に形成されて切り欠き部(59)に連結された切り欠き部(58)とが形成されている。
【００２９】
第１側壁(51)に形成された切り欠き部(59)と、前方壁(50)に形成された切り欠き部(58)とが連結して、内側ホルダー(５)の空気導入孔(56)を構成しており、第２側壁(52)に形成された切り欠き部(59)と、前方壁(50)に形成された切り欠き部(58)とが連結して、内側ホルダー(５)の空気排出孔(57)を構成している。
【００３０】
図６に示す様に、ランプユニット(４)の空気導入孔(48)は、内側ホルダー(５)の空気導入孔(56)から露出しており、ランプユニット(４)の空気排出孔(49)が内側ホルダー(５)の空気排出孔(57)から露出している。ランプユニット(４)の空気導入孔(48)とランプユニット(４)の空気排出孔(49)の開口面は、それぞれ、内側ホルダー(５)の空気導入孔(56)と空気排出孔(57)の開口面と略平行に配置されている。又、内側ホルダー(５)には、第１側壁(51)と第２側壁(52)の両方に直交する第３側壁(53)に、複数の排気孔(55)が設けられている。
【００３１】
内側ホルダー(５)の空気排出孔(57)は、複数の貫通孔が設けられた金属板(図示省略)により覆われている。一方、内側ホルダー(５)の空気導入孔(56)の位置には、冷却風調整機構(６)が配置されており、該冷却風調整機構(６)は、内側ホルダー(５)の前方壁(50)側からランプユニット(４)の空気導入孔(48)を貫通してリフレクタ(41)内に伸びている。
【００３２】
図１０及び図１１に示す様に、冷却風調整機構(６)は、冷却風調整機構(６)を内側ホルダー(５)に取り付けるための取り付け部材(９)と一体に形成されており、冷却風調整機構(６)と取り付け部材(９)は、金属板をプレス形成して構成されている。
【００３３】
冷却風調整機構(６)は、取り付け部材(９)の基部(90)から延出されている。該基部(90)は、平板状に形成され、図９に示す様に、第１側壁(51)で内側ホルダー(５)の空気導入孔(56)を構成する切り欠き部(59)を覆っている。取り付け部材(９)の基部(90)には、ランプユニット(４)の空気導入孔(48)を露出させる貫通孔(97)が設けられており、該貫通孔(97)の開口面は、前記ランプユニット(４)の空気導入孔(48)の開口面と略平行に配置されている。
【００３４】
冷却風調整機構(６)は基部(90)の貫通孔(97)の内周部から延出されており、基部(90)から延出された冷却風調整機構(６)の根元部は、内側ホルダー(５)の前方壁(50)側に配置されている。
【００３５】
冷却風調整機構(６)は、図１１に示す様に、取り付け部材(９)の基部(90)から延出された角度調整部材(60)と、該角度調整部材(60)に重ねられた長さ調整部材(61)とから構成されている。
【００３６】
図１３に示す様に、角度調整部材(60)は、取り付け部材(９)の基部(90)から矩形状に延出された平板部(62)と、該平板部(62)の両側から垂直に突出した一対の側壁部(63)(63)とから構成され、図１１に示す様に、角度調整部材(60)の平板部(62)は、取り付け部材(９)の基部(90)に開設された貫通孔(97)の開口面から所定の角度をもって傾斜し、角度調整部材(60)の一対の側壁部(63)(63)は、取り付け部材(９)の基部(90)に開設された貫通孔(97)に向けて伸びている。
【００３７】
角度調整部材(60)上に重ねられた長さ調整部材(61)は、図１４に示す様に、矩形状の平板部(64)と、該平板部(64)の両側から垂直に突出した一対の側壁部(65)(65)とから構成されている。図１１に示す様に、該長さ調整部材(61)の一対の側壁部(65)(65)間距離は、角度調整部材(60)の一対の側壁部(63)(63)間距離よりも僅かに大きく、長さ調整部材(61)の一対の側壁部(63)(63)間に、角度調整部材(60)の一対の側壁部(63)が挟持されている。又、長さ調整部材(61)の一対の側壁部(65)(65)は、角度調整部材(60)の一対の側壁部(63)よりも大きく、角度調整部材(60)の一対の側壁部(63)(63)の外面全域が、長さ調整部材(61)の一対の側壁部(65)(65)により覆われている。
【００３８】
又、角度調整部材(60)の平板部(62)は、取り付け部材(９)の基部(90)に繋がる根元部から先端部に亘り長さ調整部材(61)の平板部(64)により覆われている。更に、長さ調整部材(61)の平板部(64)は、角度調整部材(60)の平板部(62)の先端から所定の長さだけ突出している。
【００３９】
この様な冷却風調整機構(６)においては、長さ調整部材(61)の平板部(64)が角度調整部材(60)の平板部(62)の先端から所定の長さだけ突出する様に、長さ調整部材(61)の平板部(64)は、角度調整部材(60)の平板部(62)に対して位置決めされている。その位置決めのために、角度調整部材(60)と長さ調整部材(61)は互いに係合されており、角度調整部材(60)の平板部(62)には、図１６に示す様に、長さ調整部材側の係合部となる２つの突起部(67)(67)が前記長さ方向と直交する方向(幅方向)に並設され、一方、長さ調整部材(61)の平板部(64)には、図１７に示す様に、長さ調整部材側の係合受け部となる２つの貫通孔(66)(66)が、前記幅方向に並設されている。又、図１８に示す様に、角度調整部材(60)と長さ調整部材(61)とは、スポット溶接により互いに接合されている。スポット溶接によれば、ビス等を用いる場合に比べて、角度調整部材(60)と長さ調整部材(61)とを容易に固定することが出来る。
【００４０】
この様な冷却風調整機構(６)においては、ランプユニット(４)の空気導入孔(48)の開口面に対する傾斜角度は、角度調整部材(60)の傾斜角度によって決まり、一方、冷却風調整機構(６)がランプユニット(４)の空気導入孔(48)からリフレクタの内部に伸びる長さは、長さ調整部材(61)の長さによって決まる。
【００４１】
冷却風調整機構(６)と一体に形成された取り付け部材(９)は、図１２に示す様に、前方固定部(91)と後方固定部(92)とを有している。前方固定部(91)は、基部(90)から内側ホルダー(５)の前方壁(50)の外面へと延出された帯状部(93)を有しており、該帯状部(93)は、図１５に示す様に、内側ホルダー(５)の空気導入孔(56)を構成する前方壁(50)の切り欠き部を覆い、帯状部(93)の先端は、内側ホルダーの光出射孔(54)の内周面に密着している。
【００４２】
又、図１５に示す如く、前方固定部(91)には、帯状部(93)の幅方向の両側から垂直に突出した一対の嵌入部(94)が設けられ、該嵌入部(94)は、内側ホルダー(５)の前方壁(50)の切り欠き部(58)内に嵌入されて、該切り欠き部(58)の内周面に密着している。この様な前方固定部(91)によれば、帯状部(93)の先端が光出射孔(54)の内周面に密着すると共に、嵌入部(94)が切り欠き部(58)の内周面に密着することにより、内側ホルダー(５)の前方壁(50)に固定される。
【００４３】
一方、後方固定部(92)は、図１２に示す様に、前方固定部(91)と基部(90)を介した反対側に設けられている。該後方固定部(92)は、基部(90)から内側ホルダーの第１側壁(51)の内面に沿って延出された第１挟持部(96)と、該第１挟持部(96)の両側に配置され、基部(90)から内側ホルダー(５)の第１側壁(51)の外面に沿って延出された一対の第２挟持部(95)(95)とから構成されており、第１挟持部(96)と一対の第２挟持部(95)(95)により内側ホルダーの第１側壁(51)を挟持している。
【００４４】
上記の様な冷却風調整機構(６)の角度調整部材(60)と取り付け部材(９)とが一体に形成された構成部品は、図１９に示す如き１枚の平板状の金属板をプレス成型して構成されている。該金属板においては、取り付け部材(９)の基部となるべき部分(98)が環状に形成され、取り付け部材(９)の基部となるべき部分(98)の内側に、冷却風調整機構(６)の角度調整部材となるべき部分(99)が配置されている。
【００４５】
冷却風調整機構(６)の製造工程では、冷却風調整機構(６)の角度調整部材となるべき部分(99)を、取り付け部材(９)の基部となるべき部分(98)から折り曲げて、図１８に示す如き取り付け部材(９)の基部(90)から所定角度をもって傾斜した角度調整部材(60)を形成する。その後、角度調整部材(60)に、図１７に示す如き他の金属板により構成した長さ調整部材(61)を取り付ける。
【００４６】
この様な製造方法では、図１９に示す様に、取り付け部材(９)の基部(90)に開設すべき貫通孔(97)の大きさによって、角度調整部材(60)の延出長さが制限される。しかしながら、冷却風調整機構(６)の長さは、長さ調整部材(61)により決まるので、冷却風調整機構(６)の長さを、取り付け部材(９)の基部(90)に開設すべき貫通孔(97)の大きさによらず設定することが出来る。
【００４７】
図１２及び図１５に示す取り付け部材(９)の前方及び後方固定部(92)によれば、内側ホルダー(５)の壁面に沿って折り曲げることにより、ビス等の他の部品を用いることなく冷却風調整機構(６)を内側ホルダー(５)に取り付けることが出来、又、形状が異なる内側ホルダー(５)にも取り付けることが出来る。
【００４８】
内側ホルダー(５)の外部には、図５と図６に示す様に、冷却ファン装置(８)が配置されている。該冷却ファン装置(８)は、空気流を発生させるファン(83)と、該ファン(83)により発生した空気流の通路となるダクト(81)と、ダクト(81)を通過した空気流を外部へと吐出する吐出口(82)とを具えている。
【００４９】
この様な冷却ファン装置(８)の吐出口(82)は、内側ホルダー(５)の空気導入孔(56)に向けて配置されている。冷却ファン装置(８)からは、内側ホルダー(５)の空気導入孔(56)に向けて空気流(冷却風)が吐出され、冷却風は、ランプユニット(４)の空気導入孔(48)と冷却風調整機構(６)との間からリフレクタ(41)内に導入される。
【００５０】
ランプユニット(４)の空気導入孔(48)と冷却風調整機構(６)との間では、冷却風は、冷却風調整機構(６)が伸びる方向(長さ方向)に沿って流れることとなり、又、図１０に示す様に、冷却風調整機構(６)には、前記長さ方向と直交する方向の両側に一対の側壁部(65)(65)が配置されており、冷却風が冷却風調整機構(６)の外側に分散することが抑制されている。
【００５１】
冷却風調整機構(６)から吐出された冷却風は、図６に示す発光管(42)の発熱源である球状部(43)の位置に集中することとなる。冷却風を発光管(42)の球状部(43)の位置に集中させることが出来る冷却風調整機構(６)の傾斜角度と長さは、空気導入孔に対する発光管(42)の球状部(43)の位置や、冷却風の風速等により変化するものであるが、プロジェクタ装置の設計時に決定することが出来る。
【００５２】
冷却風は、発光管(42)から熱を奪って発光管(42)を冷却するので、発光管(42)の冷却後には温風となる。該温風は、ランプユニット(４)の空気排出孔(49)と内側ホルダー(５)の空気排出孔(57)を通ってランプユニット(４)の外部に排出され、ランプユニット(４)の外部に排出された温風は、内側ホルダー(５)の第３側壁(53)に設けられた排気孔(55)と前記ケーシングの排気孔(15)を通って、ケーシング(１)の外部に排出される。
【００５３】
図２０から図２２に、冷却風調整機構(６)の傾斜角度が異なるランプユニット(４)と、各ランプユニット(４)での冷却風の流れを矢印により模式的に示している。これらのランプユニット(４)では、冷却風調整機構(６)の長さＬは、何れも１２ｍｍであり、冷却ファン装置(８)から導入される冷却風の速度も同じである。図２０に示すランプユニット(４)では、冷却風調整機構(６)の傾斜角度θが１５０°であり、該ランプユニット(４)では、冷却風が発光管(42)の球状部(43)の位置に集中している。一方、図２１と図２２に示すランプユニットでは、冷却風調整機構(６)の傾斜角度θが、それぞれ１２０°、１３５°であり、該ランプユニット(４)では、冷却風を発光管(42)の球状部(43)の位置に集中させることが出来ない。
【００５４】
又、図２３と図２４に、冷却風調整機構(６)の長さが異なるランプユニット(４)と、各ランプユニット(４)での冷却風の流れを矢印により模式的に示している。これらのランプユニット(４)では、冷却風調整機構(６)の傾斜角度θは、何れも１３５°であり、冷却ファン装置(８)から導入される冷却風の速度も同じである。図２３に示すランプユニット(４)では、冷却風調整機構(６)の長さＬが２５ｍｍであり、該ランプユニットでは、冷却風が発光管(42)の球状部(43)の位置に集中している。一方、図２４に示すランプユニットでは、冷却風調整機構(６)の長さＬが、１８ｍｍであり、該ランプユニットでは、冷却風を発光管(42)の球状部(43)の位置に集中させることが出来ない。
【００５５】
この様に、冷却風を発光管(42)の球状部(43)の位置に集中させるためには、冷却風調整機構(６)の傾斜角度と長さを何れも最適値に設定する必要がある。
上記の様なプロジェクタ装置では、設計段階で決定された冷却風調整機構(６)の最適角度に対応する角度調整部材(60)を選ぶと共に、冷却風調整機構(６)の最適長さに対応する長さ調整部材(61)を選び、最適角度の角度調整部材(60)と最適長さの長さ調整部材(61)を組み合わせることにより冷却風を発光管(42)の球状部(43)の位置に集中させることが出来る。
【００５６】
又、この様なプロジェクタの製造工程では、様々な角度の角度調整部材(60)と、様々長さの長さ調整部材(61)を予め準備しておけば、機種毎に専用の冷却風調整機構を準備する必要がなく、異なる機種への対応を速やかに行なうことが出来る。
【００５７】
尚、本発明の各部構成は上記実施の形態に限らず、特許請求の範囲に記載の技術的範囲内で種々の変形が可能である。
例えば、冷却風を集中させる位置は、発光管(42)の球状部(43)に限定されず、他の冷却すべき部分でもよい。又、冷却風調整機構(６)においては、角度調整部材(60)の全面が長さ調整部材(61)により覆われている必要はなく、角度調整部材(60)の先端側のみに長さ調整部材(61)を取り付けた構成を採用することも出来る。
【図面の簡単な説明】
【００５８】
【図１】本発明に係るプロジェクタ装置の全体斜視図である。
【図２】図１に示すプロジェクタ装置の背面図である。
【図３】該プロジェクタに装備されているランプユニット及び光学ユニットの配置を示す平面図である。
【図４】該プロジェクタに装備されているランプユニット及び光学ユニットの構成を示す平面図である。
【図５】内側ホルダーに収容されたランプユニットを下方から見た斜視図である。
【図６】内側ホルダーに収容されたランプユニットを上方から見た斜視図である。
【図７】内側ホルダーの斜視図である。
【図８】内側ホルダーの正面図である。
【図９】内側ホルダーの底面図である。
【図１０】冷却風調整機構と取り付け部材を上方から見た斜視図である。
【図１１】冷却風調整機構と取り付け部材を下方から見た斜視図である。
【図１２】冷却風調整機構と取り付け部材の側面図である。
【図１３】冷却風調整機構と取り付け部材を一面側から見た平面図である。
【図１４】冷却風調整機構と取り付け部材を他面側から見た裏面図である。
【図１５】冷却風調整機構と取り付け部材の背面図である。
【図１６】冷却風調整機構の角度調整部材と取り付け部材の斜視図である。
【図１７】冷却風調整機構の長さ調整部材の斜視図である。
【図１８】冷却風調整機構と取り付け部材を上方から見た斜視図である。
【図１９】冷却風調整機構と取り付け部材となる金属板の平面図である。
【図２０】冷却風調整機構の傾斜角度が１５０°、長さが１２ｍｍである場合の冷却風の流れを示す図である。
【図２１】冷却風調整機構の傾斜角度が１２０°、長さが１２ｍｍである場合の冷却風の流れを示す図である。
【図２２】冷却風調整機構の傾斜角度が１３５°、長さが１２ｍｍである場合の冷却風の流れを示す図である。
【図２３】冷却風調整機構の傾斜角度が１３５°、長さが２５ｍｍである場合の冷却風の流れを示す図である。
【図２４】冷却風調整機構の傾斜角度が１３５°、長さが１８ｍｍである場合の冷却風の流れを示す図である。
【図２５】従来のプロジェクタ装置のランプユニットにおける冷却風の流れを示す図である。
【図２６】従来の他のプロジェクタ装置のランプユニットにおける冷却風の流れを示す図である。
【符号の説明】
【００５９】
(１)  ケーシング
(４)  ランプユニット
(41)  リフレクタ
(42)  発光管
(43)  球状部
(48)  空気導入孔
(５)  内側ホルダー
(50)  前方壁
(51)  第１側壁
(54)  光出射孔
(56)  空気導入孔
(６)  冷却風調整機構
(60)  角度調整部材
(61)  長さ調整部材
(62)(64)  平板部
(63)(65)  側壁部
(66)(67)  係合部
(９)  取り付け部材
(90)  基部
(97)  貫通孔
【図１】
2007298891.tif 000003
【図２】
2007298891.tif 000004
【図３】
2007298891.tif 000005
【図４】
2007298891.tif 000006
【図５】
2007298891.tif 000007
【図６】
2007298891.tif 000008
【図７】
2007298891.tif 000009
【図８】
2007298891.tif 000010
【図９】
2007298891.tif 000011
【図１０】
2007298891.tif 000012
【図１１】
2007298891.tif 000013
【図１２】
2007298891.tif 000014
【図１３】
2007298891.tif 000015
【図１４】
2007298891.tif 000016
【図１５】
2007298891.tif 000017
【図１６】
2007298891.tif 000018
【図１７】
2007298891.tif 000019
【図１８】
2007298891.tif 000020
【図１９】
2007298891.tif 000021
【図２０】
2007298891.tif 000022
【図２１】
2007298891.tif 000023
【図２２】
2007298891.tif 000024
【図２３】
2007298891.tif 000025
【図２４】
2007298891.tif 000026
【図２５】
2007298891.tif 000027
【図２６】
2007298891.tif 000028